(57)【特許請求の範囲】
【請求項１】
画像データが格納される第１メモリと、前記第１メモリに格納された画像データが転送される第２メモリと、前記第１メモリに格納された画像データの読み込みを行うためのリード信号を出力するＣＰＵと、前記第２メモリに対して画像データの書き込みを行うと共に、表示器のドライバを制御して前記第２メモリに書き込まれた画像データを表示させるグラフィックコントローラと、前記第１メモリ、前記ＣＰＵ及び前記グラフィックコントローラ間を互いに接続するデータバスと、を備え、前記ＣＰＵが前記第１メモリに格納された画像データを読み込むために第１メモリに対してリード信号を出力すると、前記第１メモリが前記画像データを前記データバスに出力する表示装置において、
前記ＣＰＵが、前記グラフィックコントローラにも前記リード信号を出力し、
前記グラフィックコントローラが、前記リード信号の入力に応じて前記データバスに出力される画像データを前記ＣＰＵを経由せずに直接読み取って、当該読み取った画像データを前記第２メモリに書き込む
ことを特徴とする表示装置。
【請求項２】
前記ＣＰＵが、前記第２メモリに対する前記画像データの転送を指示するバイパスライト信号を出力し、
前記グラフィックコントローラが、前記バイパスライト信号が出力されているときのみ、前記リード信号が出力されると前記データバスに出力される画像データを読み取って前記第２メモリに書き込む
ことを特徴とする請求項１に記載の表示装置。
【請求項３】
画像データが格納される第１メモリと、前記第１メモリに格納された画像データが転送される第２メモリと、前記第１メモリに格納された画像データの読み込みを行うためのリード信号を出力するＣＰＵと、前記第２メモリに対して画像データの書き込みを行うと共に、表示器のドライバを制御して前記第２メモリに書き込まれた画像データを表示させるグラフィックコントローラと、前記第１メモリ、前記ＣＰＵ及び前記グラフィックコントローラ間を互いに接続するデータバスと、を備え、前記ＣＰＵが前記第１メモリに格納された画像データを読み込むために第１メモリに対してリード信号を出力すると、前記第１メモリが前記画像データを前記データバスに出力する表示装置において、前記第１メモリに格納された画像データを前記第２メモリに転送する画像データの転送方法であって、
前記ＣＰＵが、前記グラフィックコントローラ及び前記第１メモリに対してリード信号を出力する工程と、
前記第１メモリが前記リード信号の入力に応じて前記画像データを前記データバスに出力すると共に前記グラフィックコントローラが前記リード信号の入力に応じて前記データバスに出力された画像データを前記ＣＰＵを経由せずに直接読み込んで前記第２メモリに書き込む工程と、
を順次行うことを特徴とする画像データの転送方法。
【発明の詳細な説明】
【技術分野】
【０００１】
本発明は、表示装置及び画像データの転送方法に関するものである。
【背景技術】
【０００２】
上述した表示装置として、例えば、図３に示されたものが知られている（特許文献１）。同図に示すように、表示装置１は、表示装置１全体の制御を司る第１制御部としてのＣＰＵ４と、画像データが格納された第１メモリとしてのＲＯＭ５と、ドライバ３を制御して画像データを液晶表示器２に表示させる第２制御部としてのグラフィックコントローラ（以下ＧＤＣ）６と、液晶表示器２に表示させる画像データを一時的に格納する第２メモリとしてのＶＲＡＭ７と、これらＣＰＵ４、ＲＯＭ５及びＧＤＣ６を互いに接続するデータバス８と、を備えている。
【０００３】
上述した表示装置１においては、ＲＯＭ５に格納してある画像データを液晶表示器２に表示させるために、ＲＯＭ５に格納してある画像データを一時的にＶＲＡＭ７に転送して格納する必要がある。
【０００４】
従来、上述した転送方法としては、図４に示すような手順で行われている。図４（Ａ）〜（Ｅ）はそれぞれ、図３に示す表示装置１におけるリード信号、ＲＯＭ５の動作状態、ライト信号、ＧＤＣ６の動作状態、データバス８上の画像データのタイムチャートである。まず、ＣＰＵ４が、ＲＯＭ５に対してリード信号を出力する（図４（Ａ））。このリード信号の出力に応じてＲＯＭ５は、データバス８に画像データを出力する（図４（Ｂ）、（Ｅ））。ＣＰＵ４は、データバス８に出力された画像データを読み込んで、図示しない内部メモリに格納する。
【０００５】
読み込みが完了すると、ＣＰＵ４は、ＧＤＣ６に対してライト信号を出力すると共に（図４（Ｃ））、データバス８に画像データを出力する（図４（Ｅ））。上記ライト信号の出力に応じてＧＤＣ６は、データバス８に出力された画像データを読み込んで、ＶＲＡＭ７に書き込む（図４（Ｄ）、（Ｅ））。
【０００６】
しかしながら、上述した転送方法では、ＲＯＭ５に格納されている画像データをＣＰＵ４が読み込み、その後、ＣＰＵ４からＧＤＣ６を介してＶＲＡＭ７に画像データを書き込む必要があった。即ち、従来の転送方法では、読み込み・書き込みの２つテップの処理が必要となり、転送するのに時間がかかるという問題があった。
【先行技術文献】
【特許文献】
【０００７】
【特許文献１】特開２００７−２４８９６５号公報
【発明の概要】
【発明が解決しようとする課題】
【０００８】
そこで、本発明は、処理能力を上げることなく画像データの転送に必要とする処理時間の短縮を図った表示装置及び画像データの転送方法を提供することを課題とする。
【課題を解決するための手段】
【０００９】
上述した課題を解決するための請求項１記載の発明は、画像データが格納される第１メモリと、前記第１メモリに格納された画像データが転送される第２メモリと、前記第１メモリに格納された画像データの読み込みを行うためのリード信号を出力するＣＰＵと、前記第２メモリに対して画像データの書き込みを行うと共に、表示器のドライバを制御して前記第２メモリに書き込まれた画像データを表示させるグラフィックコントローラと、前記第１メモリ、前記ＣＰＵ及び前記グラフィックコントローラ間を互いに接続するデータバスと、を備え、前記ＣＰＵが前記第１メモリに格納された画像データを読み込むために第１メモリに対してリード信号を出力すると、前記第１メモリが前記画像データを前記データバスに出力する表示装置において、前記ＣＰＵが、前記グラフィックコントローラにも前記リード信号を出力し、前記グラフィックコントローラが、前記リード信号の入力に応じて前記データバスに出力される画像データを前記ＣＰＵを経由せずに直接読み取って、当該読み取った画像データを前記第２メモリに書き込むことを特徴とする表示装置に存する。
【００１０】
請求項２記載の発明は、前記ＣＰＵが、前記第２メモリに対する前記画像データの転送を指示するバイパスライト信号を出力し、前記グラフィックコントローラが、前記バイパスライト信号が出力されているときのみ、前記リード信号が出力されると前記データバスに出力される画像データを読み取って前記第２メモリに書き込むことを特徴とする請求項１に記載の表示装置に存する。
【００１１】
請求項３記載の発明は、画像データが格納される第１メモリと、前記第１メモリに格納された画像データが転送される第２メモリと、前記第１メモリに格納された画像データの読み込みを行うためのリード信号を出力するＣＰＵと、前記第２メモリに対して画像データの書き込みを行うと共に、表示器のドライバを制御して前記第２メモリに書き込まれた画像データを表示させるグラフィックコントローラと、前記第１メモリ、前記ＣＰＵ及び前記グラフィックコントローラ間を互いに接続するデータバスと、を備え、前記ＣＰＵが前記第１メモリに格納された画像データを読み込むために第１メモリに対してリード信号を出力すると、前記第１メモリが前記画像データを前記データバスに出力する表示装置において、前記第１メモリに格納された画像データを前記第２メモリに転送する画像データの転送方法であって、前記ＣＰＵが、前記グラフィックコントローラ及び前記第１メモリに対してリード信号を出力する工程と、前記第１メモリが前記リード信号の入力に応じて前記画像データを前記データバスに出力すると共に前記グラフィックコントローラが前記リード信号の入力に応じて前記データバスに出力された画像データを前記ＣＰＵを経由せずに直接読み込んで前記第２メモリに書き込む工程と、を順次行うことを特徴とする画像データの転送方法に存する。
【発明の効果】
【００１２】
以上説明したように請求項１及び３記載の発明によれば、グラフィックコントローラが、リード信号の入力に応じてデータバスに出力される画像データをＣＰＵを経由せずに直接読み取って、当該読み取った画像データを第２メモリに書き込むので、ＣＰＵが読み込み・書き込みの２ステップ必要だった処理を、読み込みの１ステップのみで可能となるため、処理能力を上げることなく画像データの転送に必要とする処理時間の短縮を図ることができる。
【００１３】
請求項２記載の発明によれば、バイパスライト信号が出力されているときのみ画像データを転送することができる。
【図面の簡単な説明】
【００１４】
【図１】本発明の表示装置の一実施形態を示すブロック図である。
【図２】（Ａ）〜（Ｅ）はそれぞれ、図１に示す表示装置１におけるバイパスライト信号、リード信号、ＲＯＭの動作状態、ＧＤＣの動作状態、データバス上の画像データのタイムチャートである。
【図３】従来の表示装置の一例を示すブロック図である。
【図４】（Ａ）〜（Ｅ）はそれぞれ、図３に示す表示装置１におけるリード信号、ＲＯＭの動作状態、ライト信号、ＧＤＣの動作状態、データバス上の画像データのタイムチャートである。
【発明を実施するための形態】
【００１５】
以下、本発明の表示装置を図面に基づいて説明する。図１は、本発明の表示装置の一実施形態を示すブロック図である。同図に示すように、表示装置１は、液晶表示器２と、この液晶表示器２を駆動するＸ、Ｙドライバ３１、３２と、表示装置１全体の制御を司る第１制御部としてのＣＰＵ４と、画像データが格納された第１メモリとしてのＲＯＭ５と、Ｘ、Ｙドライバ３１、３２を制御して画像データを液晶表示器２に表示させる第２制御部としてのＧＤＣ６と、液晶表示器２に表示させる画像データを一時的に格納する第２メモリとしてのＶＲＡＭ７と、これらＣＰＵ４、ＲＯＭ５及びＧＤＣ６を互いに接続するデータバス８と、を備えている。
【００１６】
上記液晶表示器２は、マトリクス状に配置されたＹ行Ｘ列の液晶素子と、このＹ行Ｘ列の液晶素子をそれぞれ挟む一対の透明電極と、このＹ行Ｘ列の液晶素子の背面に設けられた面光源（何れも図示せず）と、を有している。各液晶素子には、Ｒ（赤）、Ｇ（緑）、Ｂ（青）のカラーフィルタが順次設けられている。この液晶表示器２は、例えば車両のコントロールパネルに配置される。
【００１７】
上記液晶素子を挟む一対の透明電極の一方は、行毎に互いに接続されている。この行毎に互いに接続された透明電極であるＹ行電極ＥYがそれぞれ、Ｙドライバ３２に接続されている。一方、上記液晶素子を挟む一対の透明電極の他方は、列毎に互いに接続されている。この列毎に互いに接続された透明電極であるＸ行電極ＥXがそれぞれ、Ｘドライバ３１に接続されている。
【００１８】
上記ＣＰＵ４は、信号線によってＲＯＭ５に接続されていて、この信号線を介してＲＯＭ５にリード信号を出力する。上記ＲＯＭ５は、リード信号が出力されると、格納された画像データをデータバス８に対して出力する。このリード信号を伝送するためにＣＰＵ４とＲＯＭ５との間に接続された信号線は、分岐されていて、ＧＤＣ６にも接続されている。即ち、ＣＰＵ４から出力されるリード信号は、ＲＯＭ５及びＧＤＣ６の両者に出力される。また、ＣＰＵ４は、バイパスライト信号をＧＤＣ６に対して出力している。ＧＤＣ６は、バイパスライト信号が出力されている間にリード信号が出力されると、データバス８に出力されている画像データをＶＲＡＭ７へ書き込む。
【００１９】
また、上記ＧＤＣ６は、ＶＲＡＭ７に一時的に格納された画像データをＲＧＢ信号、階調データなどに変換し、そのＲＧＢ信号、階調データに応じてＸ、Ｙドライバ３１、３２を駆動する。具体的には、ＧＤＣ６は、垂直同期信号をＹドライバ３２に出力する。Ｙドライバ３２は、垂直同期信号に同期してＹ行電極ＥYの一つを順次選択して、選択されたＹ行電極ＥYに接続された液晶素子に対する電圧の印加が可能な状態にしておく。
【００２０】
ＧＤＣ６は、水平同期信号をＸドライバ２２に出力すると共に水平同期信号に同期してＲＧＢ信号、階調データをＸドライバ３１に出力する。Ｘドライバ３１は、水平同期信号に同期してＸ行電極ＥXの一つを順次選択して、選択されたＸ行電極ＥXに接続された液晶素子にＲＧＢ信号、階調データに応じた電圧を印加する。即ち、Ｙドライバ３２により選択された行とＸドライバ３１により選択された列との交点がＲＧＢ信号、階調データに応じた表示状態となる。そして、Ｘドライバ３１、Ｙドライバ３２によってＸ行Ｙ列の液晶素子全部に対して順次、ＲＧＢ信号、階調データに応じた電圧を印加することにより、画像データに対応する画像が液晶表示器２に表示される。
【００２１】
次に、上述した構成の表示装置１の動作を図２のタイムチャートを参照して説明する。図２（Ａ）〜（Ｅ）は、図１に示す表示装置１におけるバイパスライト信号、リード信号、ＲＯＭ５の動作状態、ＧＤＣ６の動作状態、データバス上に画像データのタイムチャートである。まず、ＣＰＵ４は、ＲＯＭ５に格納されている画像データをＶＲＡＭ７に転送するために、バイパスライト信号をＧＤＣ６に対して出力する（図２（Ａ））。
【００２２】
次に、ＣＰＵ４は、リード信号をＲＯＭ５及びＧＤＣ６の両者に対して出力する（図２（Ｂ））。ＲＯＭ５は、上記リード信号の入力に応じて動作を開始してデータバス８に対して画像データを出力する（図２（Ｃ）、（Ｅ））。ＧＤＣ６は、バイパスライト信号が出力されている間にリード信号が出力されると、データバス８に出力された画像データをＣＰＵ４を経由せずに直接読み取って、読み取った画像データをＶＲＡＭ７を書き込む（図２（Ｄ））。
【００２３】
上述した表示装置１によれば、図２に示すように、ＧＤＣ６が、リード信号の入力に応じてデータバス８に出力される画像データをＣＰＵ４を経由せずに直接読み取って、当該読み取った画像データをＶＲＡＭ７に書き込むので、ＣＰＵ４が読み込み・書き込みの２ステプ必要だった処理を、読み込みの１ステップのみで可能となるため、処理能力を上げることなく画像データの転送に必要とする処理時間の短縮を図ることができる。
【００２４】
また、上述した表示装置１によれば、ＧＤＣ６が、バイパスライト信号が出力されているときのみリード信号に応じてデータバス８に出力される画像データを読み取ってＶＲＡＭ７に書き込む。これにより、バイパスライト信号が出力されているときのみ画像データを転送することができる。
【００２５】
なお、上述した表示装置１によれば、ＧＤＣ６を第２制御部としていたが、本発明はこれに限ったものではない。例えば、ＣＰＵ４自体がＸドライバ３１、Ｙドライバ３２を駆動できるものであれば、例えば、ＶＲＡＭ７内に第２制御部を設けて、リード信号が出力されているときにデータバス８に出力されている画像データを読み取って書き込むようにしてもよい。
【００２６】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００２７】
１  表示装置
４  ＣＰＵ（第１制御部）
５  ＲＯＭ（第１メモリ）
６  ＧＤＣ（第２制御部）
７  ＶＲＡＭ（第２メモリ）
８  データバス
【図１】
0005752382.tif 000002
【図２】
0005752382.tif 000003
【図３】
0005752382.tif 000004
【図４】
0005752382.tif 000005